(57)【要約】  【課題】  データ記憶装置で実行が困難な処理をデータ処理装置に依頼して実行することができるデータ処理方法、データ処理システム及びデータ処理装置を提供する。  【解決手段】  データを記憶する記憶部を有する携帯端末（データ記憶装置）４０と、データを処理する複合機（データ処理装置）１とを備えるデータ処理システムにおいて、携帯端末４０に、対向する通信相手と通信を行う通信手段を設け、複合機１に、対向する通信相手と通信を行うＩ／Ｆ部１１を設け、携帯端末４０から対向する複合機１へデータを送信し、受信したデータを複合機１で処理し、処理したデータを複合機１から対向する携帯端末４０へ返送する。【選択図】      図１
2006074236.tif 000002
【特許請求の範囲】
【請求項１】
データを記憶する記憶部と、対向する通信相手と通信を行う通信手段とを有するデータ記憶装置、及び、対向する通信相手と通信を行う通信手段を有し、データを処理するデータ処理装置を用いたデータ処理方法であって、
前記データ記憶装置から対向するデータ処理装置へデータを送信するステップと、
受信したデータをデータ処理装置で処理するステップと、
処理したデータをデータ処理装置から対向する前記データ記憶装置へ返送するステップと
を有することを特徴とするデータ処理方法。
【請求項２】
データを記憶する記憶部を有するデータ記憶装置と、データを処理するデータ処理装置とを備えるデータ処理システムにおいて、
前記データ記憶装置は、対向する通信相手と通信を行う通信手段を有し、前記記憶部に記憶されているデータを通信手段から送信し、通信手段が受信したデータを記憶部に記憶するように構成してあり、
前記データ処理装置は、対向する通信相手と通信を行う通信手段を有し、対向するデータ記憶装置から通信手段が受信したデータを処理し、処理したデータを通信手段から対向する前記データ記憶装置へ返送するように構成してあることを特徴とするデータ処理システム。
【請求項３】
前記データは画像を含んでおり、
前記データ処理装置は、画像をシートに形成する画像形成手段を備え、画像処理を行うように構成してあることを特徴とする請求項２記載のデータ処理システム。
【請求項４】
前記データ処理装置が行うデータの処理に対して課金処理を行う課金装置を備えることを特徴とする請求項２又は３記載のデータ処理システム。
【請求項５】
データを処理するデータ処理装置において、
対向する通信相手と通信を行う通信手段を備え、該通信手段が受信したデータを処理し、処理したデータを通信手段から返送するように構成してあることを特徴とするデータ処理装置。
【請求項６】
前記データは画像を含んでおり、
画像をシートに形成する画像形成手段を備え、画像処理を行うように構成してあることを特徴とする請求項５記載のデータ処理装置。
【発明の詳細な説明】
【技術分野】
【０００１】
本発明は、データを記憶する記憶部を有するデータ記憶装置と、データを処理するデータ処理装置とを用いたデータ処理方法、データ処理システム、及び、データを処理するデータ処理装置に関する。
【背景技術】
【０００２】
データの処理を行うデータ処理装置として、画像データの処理を行う画像処理装置がある。例えば複写機、プリンタ、ファクシミリ、複合機などの画像処理装置がある。また、外部に設けられた外部装置との間でデータ通信を行うことにより、外部装置から送信されたプリントデータのプリント処理を行う画像処理装置もある（例えば、特許文献１参照）。
【特許文献１】特開平９−１９３５０９号公報
【発明の開示】
【発明が解決しようとする課題】
【０００３】
外部装置としては、携帯型の端末装置を用いることも可能である。しかし、携帯型の端末装置の場合、一般的な据置型のコンピュータと比較して性能が低く、行える処理も限定されているという問題がある。
【０００４】
本発明は斯かる事情に鑑みてなされたものであり、対向する通信相手と通信を行う通信手段を設け、データ記憶装置から対向するデータ処理装置へデータを送信し、受信したデータをデータ処理装置で処理し、処理したデータをデータ処理装置から対向する前記データ記憶装置へ返送することにより、データ記憶装置で実行が困難な処理をデータ処理装置に依頼して実行することができるデータ処理方法、データ処理システム及びデータ処理装置を提供することを目的とする。
【０００５】
また、本発明は、画像をシートに形成する画像形成手段を備えることにより、原稿を読取った画像をシートに形成する複写機、受信した画像をシートに形成するファクシミリ機又はプリンタなどの画像形成装置の機能を得ることができるデータ処理システム及びデータ処理装置を提供することを他の目的とする。
【０００６】
また、本発明は、課金装置により、データ処理装置がデータを処理する場合に課金を行うことができるデータ処理システムを提供することを他の目的とする。
【課題を解決するための手段】
【０００７】
本発明に係るデータ処理方法は、データを記憶する記憶部と、対向する通信相手と通信を行う通信手段とを有するデータ記憶装置、及び、対向する通信相手と通信を行う通信手段を有し、データを処理するデータ処理装置を用いたデータ処理方法であって、前記データ記憶装置から対向するデータ処理装置へデータを送信するステップと、受信したデータをデータ処理装置で処理するステップと、処理したデータをデータ処理装置から対向する前記データ記憶装置へ返送するステップとを有することを特徴とする。
【０００８】
本発明に係るデータ処理システムは、データを記憶する記憶部を有するデータ記憶装置と、データを処理するデータ処理装置とを備えるデータ処理システムにおいて、前記データ記憶装置は、対向する通信相手と通信を行う通信手段を有し、前記記憶部に記憶されているデータを通信手段から送信し、通信手段が受信したデータを記憶部に記憶するように構成してあり、前記データ処理装置は、対向する通信相手と通信を行う通信手段を有し、対向するデータ記憶装置から通信手段が受信したデータを処理し、処理したデータを通信手段から対向する前記データ記憶装置へ返送するように構成してあることを特徴とする。
【０００９】
本発明に係るデータ処理システムは、前記データは画像を含んでおり、前記データ処理装置は、画像をシートに形成する画像形成手段を備え、画像処理を行うように構成してあることを特徴とする。
【００１０】
本発明に係るデータ処理システムは、前記データ処理装置が行うデータの処理に対して課金処理を行う課金装置を備えることを特徴とする。
【００１１】
本発明に係るデータ処理装置は、データを処理するデータ処理装置において、対向する通信相手と通信を行う通信手段を備え、該通信手段が受信したデータを処理し、処理したデータを通信手段から返送するように構成してあることを特徴とする。
【００１２】
本発明に係るデータ処理装置は、前記データは画像を含んでおり、画像をシートに形成する画像形成手段を備え、画像処理を行うように構成してあることを特徴とする。
【００１３】
本発明においては、データ記憶装置は、記憶部に記憶されているデータを通信手段から対向するデータ処理装置へ赤外線通信などで送信し、データ処理装置は、対向するデータ記憶装置から通信手段が受信したデータを処理し、処理したデータを通信手段から対向するデータ記憶装置へ赤外線通信などで返送する。データ記憶装置は、対向するデータ処理装置から通信手段が受信したデータを記憶部に記憶する。データ記憶装置は、データ処理装置にデータを送信して処理を依頼し、処理が行われたデータをデータ処理装置から受取ることができる。データ記憶装置で実行が困難な処理をデータ処理装置に依頼して実行することができる。
【００１４】
本発明においては、データ処理装置が処理するデータに含まれる画像を画像形成手段によってシートに形成する。また、シートに形成する画像に対し、データ処理装置で画像処理を行う。そのため、原稿を読取った画像をシートに形成する複写機、受信した画像をシートに形成するファクシミリ機又はプリンタなどの画像形成装置の機能を得ることができる。画像は、原稿の画像を読取るイメージスキャナなどの画像読取装置から受付けたり、ＬＡＮ（Local Area Network）などを介して接続されたコンピュータから受付けることが可能である。
【００１５】
本発明においては、データ処理装置が行うデータの処理に対して課金装置で課金処理を行う。例えば、課金が必要な処理を行う場合は、課金処理が済んだ後で処理を行う。
【発明の効果】
【００１６】
本発明によれば、データ記憶装置で実行が困難な処理をデータ処理装置に依頼して実行することができる。
【００１７】
本発明によれば、原稿を読取った画像をシートに形成する複写機、受信した画像をシートに形成するファクシミリ機又はプリンタなどの画像形成装置の機能を得ることができる。
【００１８】
本発明によれば、データ処理装置がデータを処理する場合に課金を行うことができる。
【発明を実施するための最良の形態】
【００１９】
以下、本発明をその実施の形態を示す図面に基づいて具体的に説明する。図１は、本発明に係る複合機（データ処理装置）を含む通信ネットワーク（データ処理システム）の構成例を示すブロック図である。通信ネットワークは、例えば社内ＬＡＮ（Local Area Network）などの内部ネットワークＮ１と、例えばインターネットなどの外部ネットワークＮ２とを含む。内部ネットワークＮ１には、複合機１及びパーソナルコンピュータ（以下、パソコンという）３２及びサーバ３６が接続されている。外部ネットワークＮ２には、インターネットファックス機（以下、ｉＦＡＸ機）３４及びパソコン３２が接続されている。
【００２０】
複合機１は、原稿の画像を読取ってシート（記録紙）にプリント（画像形成）するコピー機能、外部から受信した画像データをシートにプリントするプリンタ機能、外部へ画像データを送信するネットワークスキャナ機能、及び、外部のファクシミリ装置との間でファクシミリデータを送受信するファクシミリ機能などを有する。また、複合機１は、読取った画像データ又は受信した画像データをハードディスクドライブ（以下、ハードディスクという）などの記録媒体に記憶する機能を有し、記憶した画像データをシートにプリントしたり、外部へ送信することが可能である。
【００２１】
複合機１は、原稿の画像を読み取る画像読み取り部２と、入力部４ａ及び表示部４ｂを有する操作部４と、ハードディスク１２と、シートに画像を形成する画像形成部６と、ハードディスク１２に記憶されているデータを無効化する消去部１６と、内部ネットワークＮ１及び外部ネットワークＮ２との通信制御を行う通信部１０と、対向する携帯端末（データ記憶装置）４０との通信制御を行うＩ／Ｆ（インタフェイス）部１１と、制御プログラム及び設定情報などを記憶する管理部１４と、制御プログラム及び設定情報に従って前記各構成部２，４，６，１０，１１，１２，１４，１６を制御する制御部８とを備える。
【００２２】
管理部１４は、制御部８に接続されており、制御部８が実行する制御プログラムを格納したＲＯＭ（Read Only Memory）、及び、装置１の各構成部の動作に関する設定情報等を記憶するためのＲＡＭ等を有する。ただし、前記ＲＡＭは、フラッシュメモリ，ＥＥＰＲＯＭ（Electrically Erasable Programmable ROM）等の書換え可能な不揮発性の記憶媒体であってもよい。
【００２３】
制御部８は、例えばＣＰＵ（Central Processing Unit)を有し、管理部１４に格納されている制御プログラム及び設定情報に従って、画像読み取り部２、操作パネル４、画像形成部６、通信部１０、Ｉ／Ｆ部１１、ハードディスク１２、及び消去部１６などの複合機１の各構成部の動作を制御する。
【００２４】
操作部４の入力部４ａは、表示部４ｂに隣接して配置されたキー群を有する。例えば、コピーのスタートなどを指示するためのスタートキー、実行中の処理の中止を指示するためのキャンセルキー、コピー枚数などを指示するためのテンキー、装置の動作モードを切換えるモード切換キー（コピーモードキー、プリンタモードキー、スキャンモードキー、ファックスモードキー）などを備える。入力部４ａは制御部８と接続されており、各キーに対する操作信号などを制御部８に与える。
【００２５】
操作部４の表示部４ｂは、ドットマトリックスタイプの液晶パネルを有し、利用者に対して必要な情報の表示を行う。液晶パネルの画面上には、透明なタッチパネルが設けられており、液晶パネル上に表示される情報に従ってタッチパネルを操作することにより、各種指示を入力することが可能であり、液晶パネルは入力部４ａの一部として機能する。表示部４ｂは制御部８に接続されており、制御部８から表示制御信号を受取ったり、タッチパネルに対する操作信号を制御部８に与える。
【００２６】
画像形成部６は、画像読み取り部２及びハードディスク１２と接続され、また、制御部８を介して通信部１０及びＩ／Ｆ部１１と接続されている。画像形成部６は、画像データを記憶するＤＲＡＭ（Dynamic Random Access Memory）等のメモリ６ａと、メモリ６ａから受取った画像データに基づく画像をシートに形成する印字部（LSU:Laser Scanning Unit、画像形成手段)６ｂと、メモリ６ａからハードディスク１２に転送する画像データを暗号化する暗号化部６ｃと、ハードディスク１２からメモリ６ａに転送する暗号化された画像データを復号化する復号化部６ｄとを有する。メモリ６ａには、制御部８の制御により、画像読み取り部２から受取った画像データと、ハードディスク１２、通信部１０、及びＩ／Ｆ部１１から夫々受取った画像データが記憶される。また、メモリ６ａに記憶されている画像データを、制御部８の制御により、ハードディスク１２、通信部１０、及びＩ／Ｆ部１１に送ることも可能である。なお、本実施の形態では印字部６ｂはＬＳＵ（レーザ走査ユニット）で構成してあるが、インクジェット方式などのプリンタ装置であってもよい。
【００２７】
画像読み取り部２は、画像形成部６に接続されており、たとえばＣＣＤ（Charge Coupled Device)２ａなどの光学的な画像読み取り手段によって原稿の画像を読み取る。制御部８の制御によって、画像読み取り部２が読み取った原稿の画像データはメモリ６ａにページ単位（原稿１枚単位）で記憶されると共に、読み取った原稿の枚数（ページ数）は管理部１４に記憶される。また、画像読み取り部２は、読取原稿の検出信号を制御部８へ送る原稿センサ２ｂを備える。
【００２８】
通信部１０は、制御部８に接続されると共に、内部ネットワークＮ１及び外部ネットワークＮ２のパソコン３２などと例えばＬＡＮケーブルなどで接続されており、前記外部装置との間でデータ通信を行い、例えば画像データを送受信する。
【００２９】
Ｉ／Ｆ部（通信手段）１１は、制御部８に接続されており、携帯電話などの携帯端末４０と赤外線通信などの光通信を行う。赤外線通信を行うためには、複合機１のＩ／Ｆ部１１と携帯端末４０が備える後述するＩ／Ｆ部とは、対向させる必要がある。なお、複合機１の通信部１０と内部ネットワークＮ１のパソコン３２とは有線接続又は電波を用いた広範囲の無線通信を行うため、対向させる必要は特にない。
【００３０】
ハードディスク１２は、画像形成部６及び制御部８に接続され、画像読み取り部２、通信部１０又はＩ／Ｆ部１１から入力されて画像形成部６でプリント（画像形成）される画像データ、及び、通信部１０又はＩ／Ｆ部１１から外部へ送信される画像データが記憶される。
【００３１】
消去部１６は、ハードディスク１２及び制御部８に接続され、ハードディスク１２に記憶した画像データのプリント又は送信が完了して消去可能になった場合、制御部８の制御により、消去可能になった画像データをランダムデータなどで上書して無効化する。従って、本発明の複合機１においては、画像データのセキュリティが確保される。なお、メモリ６ａ及びハードディスク１２には、画像データ以外の各種データも記憶することが可能である。
【００３２】
制御部８は、操作部４の入力部４ａ又は表示部４ｂへの操作に従って、前記各構成部を制御して画像処理などのデータ処理を実行すると共に、表示部４ｂに複合機１の状態に関する情報及びユーザに通知すべき情報等を出力する。また、制御部８は、画像読み取り部２からの画像データの入力制御、及び、通信部１０又はＩ／Ｆ部１１を介しての外部からの画像データの入力制御、入力された画像データのメモリ６ａ及びハードディスク１２への入出力制御、画像形成部６、通信部１０又はＩ／Ｆ部１１からの画像データの出力制御等を行う。
【００３３】
操作部４でコピーモードの選択を受付けるなどして、複合機１を複写機として動作させる場合、制御部８の制御によって、画像読み取り部２にセットされた原稿を電子的に読み取り、読み取った画像データをメモリ６ａに記憶した後、ハードディスク１２に記憶する。原稿が複数ある場合は、同様の処理を繰り返す。その後、制御部８の制御によって、ハードディスク１２に記憶した画像データが適切なタイミングで順次メモリ６ａに送られ、印字部６ｂの印字タイミングに合わせて画像データがメモリ６ａから印字部６ｂへと送られ、プリントが行われる。画像データを複数部印字する場合は、出力部数の分だけ画像データが繰り返し印字部６ｂへ送られる。
【００３４】
通信部１０又はＩ／Ｆ部１１でプリント対象のデータを受付けるなどして、複合機１をプリンタとして動作させる場合、例えば内部ネットワークＮ１に接続されたパソコン３２から送信された画像データは通信部１０で受信され、制御部８の制御によって、メモリ６ａに送られてページ単位で記憶された後、ハードディスク１２に記憶される。その後、制御部８の制御によって、ハードディスク１２に記憶された画像データはメモリ６ａに送られ、上述した複写機として使用する場合と同様にして、印字部６ｂに送られ、プリントが行われる。
【００３５】
操作部４でスキャンモードの選択を受付けるなどして、複合機１をネットワークスキャナとして動作させる場合、制御部８の制御によって、画像読み取り部２にセットされた原稿を電子的に読み取り、読み取った原稿の画像データをメモリ６ａに記憶した後、ハードディスク１２に記憶する。その後、制御部８の制御によって、ハードディスク１２に記憶した画像データはメモリ６ａに送られ、操作部４で受付けた送信先へ通信部１０又はＩ／Ｆ部１１から送信される。画像データの送信先としては、内部ネットワークＮ１内のパソコン３２、外部ネットワークＮ２のパソコン３２、又は携帯端末４０を指定することが可能である。また、ファックスモードの場合は、スキャンモードとほぼ同様の処理が行われるが、画像データの送信先としてｉＦＡＸ機３４を指定することが可能である。
【００３６】
図２（ａ）は携帯端末４０の構成例を示すブロック図である。携帯端末４０は、例えば携帯電話であり、液晶表示パネルなどを有する表示部４３と、数字キー及び通話キーなどを有する操作部４４と、電波を用いた通話などの通信を行う通信部４５と、赤外線を用いたデータ通信を行うＩ／Ｆ部４６と、データを記憶する記憶部４２と、ＣＣＤなどを有する撮像部４７と、前記各部４２〜４７の制御を行う制御部４１とを備える。
【００３７】
図２（ｂ）は携帯端末４０の記億部４２に記憶されているデータの例を示す概念図である。記憶部４２には、端末情報、所有者情報、認証情報、文書情報、電話情報、メール情報などが記憶されている。前記端末情報は、会員又は一般などを表す情報である。前記所有者情報は名前又は会社名などの情報である。前記認証情報はＩＤ（identification）などのコード情報である。前記文書情報は、記憶部４２に記憶されている文書データに関するデータ名、重要度（一般又は重要など）、所属（社内、社外、又は個人など）、色（カラー又は白黒など）などの情報である。前記電話情報は名前及び電話番号を含み、前記メール情報は名前及びメールアドレスを含む。また、記憶部４２には、撮像部４７で撮像した画像データ、通信部４５又はＩ／Ｆ部４６で受信した画像データ又は文書データ、操作部４４から入力した文書データなどのデータも記憶されている。
【００３８】
携帯端末４０はデータを記憶する記憶部４２を有するデータ記憶装置として動作し、複合機１はデータを処理するデータ処理装置として動作する。携帯端末４０のＩ／Ｆ部４６は、対向する通信相手と通信を行う通信手段として動作し、制御部４１の制御により、記憶部４２に記憶されているデータをＩ／Ｆ部４６から対向する複合機１へ送信し、また、Ｉ／Ｆ部４６が対向する複合機１から受信したデータを記憶部４２に記憶する。複合機１のＩ／Ｆ部１１は、対向する通信相手と通信を行う通信手段として動作し、制御部８の制御により、対向する携帯端末４０からＩ／Ｆ部１１が受信したデータをメモリ６ａ（又はハードディスク１２）に記憶して処理し、処理したデータをＩ／Ｆ部１１から対向する携帯端末４０へ返送する。
【００３９】
前記データは画像を含んでおり、印字部６ｂは、画像をシートに形成する画像形成手段として動作し、複合機１の画像形成部６又は制御部８は画像処理を行う。図３（ａ）、（ｂ）は画像処理の一例を示す概念図である。図３（ａ）は携帯端末４０の撮像部４７で横書きの文字が記載された紙５２を、正面ではなく斜め方向から撮像した画像５０の例を示す図である。水平台上に載置された紙５２の正面から撮像せずに、目線に近い斜め方向から撮像した場合、長方形の紙が台形状に変形することになる。制御部８又は画像形成部６は、台形状の紙５２が長方形になるように、画像５０の補正を行う。図３（ｂ）は補正後の画像５４の例を示す図であり、紙５２は長方形状に補正されている。なお、図３に示すような画像補正は、処理性能が低い携帯端末４０では実行することが困難な場合が多い。
【００４０】
図４は、複合機１の画像処理の例を示すフローチャートである。携帯端末４０の操作部４４は、記憶部４２に記憶されている処理対象データと処理内容との指定を受付け（Ｓ１０）、制御部４１は受付けた処理対象データ（処理内容も含む）を記憶部４２から読出してＩ／Ｆ部４６から送信する（Ｓ１２）。なお、処理対象データには、制御部４１により、処理内容情報が付加されており、例えば図３に示した画像の補正処理（ひずみ補正）を指定することが可能である。送信された処理対象データは複合機１のＩ／Ｆ部１１で受信され（Ｓ１４）、制御部８は、メモリ６ａ（又はハードディスク１２）に記憶した後、処理対象データにエラーがあるか確認する。受信エラーなどがある場合（Ｓ１６：ＹＥＳ）、制御部８は表示部４ｂにエラーを表示（Ｓ１８）して、処理を終了する。なお、エラーを表示（Ｓ１８）した後、再送要求をＩ／Ｆ部１１から携帯端末４０へ送信することも可能である。
【００４１】
処理対象データにエラーがない場合（Ｓ１６：ＮＯ）、複合機１の制御部８又は画像形成部６により、指定された処理を処理対象データに行い（Ｓ２０）、処理が完了したデータをメモリ６ａ（又はハードディスク１２）に記憶し、Ｉ／Ｆ部１１から携帯端末４０へ送信する（Ｓ２２）。データの処理は、例えば図３に示した画像の補正処理（ひずみ補正）を行うことが可能である。なお、処理内容（ひずみ補正）の指定は、複合機１の操作部４で受付けることも可能である。
【００４２】
処理が完了したデータは携帯端末４０のＩ／Ｆ部４６で受信され（Ｓ２４）、制御部４１により、記憶部４２に記憶され、受信したデータにエラーがあるか確認が行われる。受信エラーなどがある場合（Ｓ２６：ＹＥＳ）、携帯端末４０の制御部４１は表示部４３にエラーを表示し（Ｓ２８）、Ｉ／Ｆ部４６から再送を要求する（Ｓ３０）。再送の要求をＩ／Ｆ部１１で受信した複合機１の制御部８は、Ｉ／Ｆ部１１から処理が完了したデータを再度送信する。受信したデータにエラーがない場合（Ｓ２６：ＮＯ）、携帯端末４０の制御部４１の制御により、処理が完了したデータの確認画面を表示部４３に表示し（Ｓ３２）、処理が終了する。
【００４３】
図５は、図４の処理において、携帯端末４０と複合機１との間のデータ転送の例を示す図である。携帯端末（データ記憶装置）４０から対向する複合機（データ処理装置）１へ処理対象データ（及び処理内容）を送信し、Ｉ／Ｆ部１１で受信した処理対象データを複合機１で処理し、処理したデータをＩ／Ｆ部１１から対向する携帯端末４０へ返送する。これにより、性能が低い携帯端末４０では実行することが困難な処理を、複合機１に依頼し、処理が行われたデータを受取ることができる。
【００４４】
上述した実施の形態においては、携帯端末４０から受付けた処理対象データを複合機１で処理し、携帯端末４０へ返送したが、処理を行うのは複合機１に限定はされず、例えば内部ネットワークＮ１を介して複合機１に接続されたサーバ３６で処理を行うことも可能である。図６は、携帯端末４０と複合機１とサーバ３６との間のデータ転送の例を示す図である。例えば、図３（ｂ）に示した横文字が記載された紙５２のＯＣＲ（Optical Character Reader）を行ってテキストデータを作成する処理を行う際、複合機１では処理が行えない場合、サーバ３６で処理を行う。この場合、Ｉ／Ｆ部１１で処理対象データ（処理内容を含む）を受信した複合機１の制御部８は、処理内容がＯＣＲであり、自身では処理が行えないと判定した場合、受信した処理対象データ（処理内容を含む）を通信部１０からサーバ３６へ転送する。処理対象データを受信したサーバ３６は、ＯＣＲを行ってテキストデータを作成し、作成したテキストデータ（処理が完了したデータ）を複合機１に返送する。処理が完了したデータを通信部１０で受信した複合機１の制御部８は、処理が完了したデータをＩ／Ｆ部１１から携帯端末４０へ転送する。なお、複合機１でＯＣＲ処理が行える場合は、図５に示すように、サーバ３６を使用せずに、複合機１で処理を行うことが可能である。
【００４５】
このように、携帯端末４０で実行が困難な処理を、複合機１又はサーバ３６に依頼し、処理が行われたデータを受取ることも可能である。例えば、罫線又はアンダーラインを含んだ文書のＯＣＲ処理を行って、ＳＶＧ（Scalable Vector Graphics）データ又はワープロデータ（罫線も含む）を作成することも可能である。なお、文字のみのＯＣＲを複合機１で行うことが可能な場合、罫線又はアンダーラインなどがない場合は複合機１でＯＣＲ処理を行い、罫線又はアンダーラインがある場合はサーバ３６でＯＣＲ処理を行うなど、複合機１とサーバ３６とで処理を振り分けることも可能である。
【００４６】
また、複合機１又はサーバ３６が行う処理は、ＯＣＲなどに限定はされず、色補正、明るさ補正、色変換、解像度変換などの任意の処理を行うことが可能である。また、図５及び図６の破線で示すように、複合機１に課金装置１９を取り付け、複合機１又はサーバ３６が行う処理に課金を行うことも可能である。課金する場合、課金処理が完了した後に、複合機１又はサーバ３６で処理を行う。または、課金処理が完了した後に、複合機１から携帯端末４０へ処理が完了したデータを返送する。
【００４７】
上述した各実施の形態においては、携帯端末４０から受付けた処理対象データに処理を行って複合機１から返送しているが、例えば携帯端末４０から処理対象データとして文書データ及びプリント指示を受付けた場合、受付けた文書データを画像形成部６でプリントするなど、携帯端末４０から受付けた処理対象データを、携帯端末４０へ返送せずに複合機１から出力（プリント）することももちろん可能である。また、データ記憶装置は、携帯電話に限定はされず、データを記憶する記憶部と、対向する通信相手と通信を行う通信手段とを備える任意の装置を用いることが可能である。
【図面の簡単な説明】
【００４８】
【図１】本発明に係る複合機を含む通信ネットワークの構成例を示すブロック図である。
【図２】（ａ）は携帯端末の構成例を示すブロック図であり、（ｂ）は携帯端末の記億部に記憶されているデータの例を示す概念図である。
【図３】画像処理の一例を示す概念図である。
【図４】複合機の画像処理の例を示すフローチャートである。
【図５】携帯端末と複合機との間のデータ転送の例を示す図である。
【図６】携帯端末と複合機とサーバとの間のデータ転送の例を示す図である。
【符号の説明】
【００４９】
１  複合機
２  画像読み取り部
４  操作部
６  画像形成部
８  制御部
１０  通信部
１１  Ｉ／Ｆ部
１２  ハードディスク
１４  管理部
１６  消去部
１９  課金装置
３２  パソコン
３４  ｉＦＡＸ機
３６  サーバ
４０  携帯端末
４１  制御部
４２  記憶部
４３  表示部
４４  操作部
４５  通信部
４６  Ｉ／Ｆ部
４７  撮像部
Ｎ１  内部ネットワーク
Ｎ２  外部ネットワーク
【図１】
2006074236.tif 000003
【図２】
2006074236.tif 000004
【図３】
2006074236.tif 000005
【図４】
2006074236.tif 000006
【図５】
2006074236.tif 000007
【図６】
2006074236.tif 000008